(57)【要約】【課題】  光ディスクを使用したビデオカメラにおいて、光ディスク交換のための開閉蓋のロック機構が上部にあると、ロック機構分だけ高くなってしまう。また、中間位置に１箇所ロック機構を設けた場合（片持ち）では、自重で開閉蓋が開き隙間ができる。【解決手段】  光ディスクを装着するためのドライブ装置と、前記光ディスクを交換する際にヒンジ機構を用いて開閉する開閉蓋と、前記開閉蓋をロックするための複数のロック用フックと１つ以上のロック装置とで構成されるロック機構とを備えたビデオカメラにおいて、前記光ディスクを前記ドライブ装置に装着したとき、前記ヒンジ機構とは反対側の前記光ディスクの端面高さより前記ロック機構の位置が同じまたは低い位置に配置されていることを特徴とするビデオカメラ。【選択図】  図４
2006157471.tif 000002
【特許請求の範囲】
【請求項１】
ディスクに映像情報を記録するビデオカメラであって、
前記ディスクを装着する装着部と、
前記ディスクを保護する保護部と、
前記保護部を開閉する際の支点部と、
前記保護部に付される２つの係り部と、
前記係り部を受ける２つの穴部と、
を有し、
前記ディスクが前記２つの係り部を結ぶ直線と重なる位置に配置される、
ビデオカメラ。
【請求項２】
請求項１記載のビデオカメラであって、
前記ディスクは前記ビデオカメラの側面に垂直に配置される、
ビデオカメラ。
【請求項３】
請求項２記載のビデオカメラであって、
前記支点部は前記ビデオカメラの底面に配置される、
ビデオカメラ。
【請求項４】
請求項３記載のビデオカメラであって、
前記係り部は前記装着部に対し前記支点部と反対側に配置される、
ビデオカメラ。
【請求項５】
ディスクに映像情報を記録するビデオカメラであって、
前記ディスクを装着する装着部と、
前記ディスクを保護する保護部と、
前記保護部を開閉する際の支点部と、
前記保護部に付される２つの係り部と、
前記係り部を受ける２つの穴部と、
を有し、
前記ディスクが前記２つの穴部を結ぶ直線と重なる位置に配置される、
ビデオカメラ。
【請求項６】
請求項５記載のビデオカメラであって、
前記ディスクは前記ビデオカメラの側面に垂直に配置される、
ビデオカメラ。
【請求項７】
請求項６記載のビデオカメラであって、
前記支点部は前記ビデオカメラの底面に配置される、
ビデオカメラ。
【請求項８】
請求項７記載のビデオカメラであって、
前記穴部は前記装着部に対し前記支点部と反対側に配置される、
ビデオカメラ。
【請求項９】
光ディスクを装着するためのドライブ装置と、前記光ディスクを交換する際にヒンジ機構を用いて開閉する開閉蓋と、前記開閉蓋をロックするための複数のロック用フックと１つ以上のロック装置とで構成されるロック機構とを備えたビデオカメラにおいて、
前記光ディスクを前記ドライブ装置に装着したとき、前記ヒンジ機構とは反対側の前記光ディスクの端面高さより前記ロック機構の位置が同じまたは低い位置に配置されていることを特徴とするビデオカメラ。
【請求項１０】
請求項９記載のビデオカメラにおいて、前記ロック機構は、前記開閉蓋側の部材より突出した２つのロック用フックと、前記２つのロック用フックを係合するための係合部を持った前記ドライブ装置側に設けたロック装置により構成され、
前記光ディスクを前記ドライブ装置に装着したとき、前記ヒンジ機構とは反対側の前記光ディスクの端面高さより前記２つのロック用フック及びロック装置の位置が同じまたは低い位置に配置されていることを特徴とするビデオカメラ。
【請求項１１】
請求項９又は１０記載のビデオカメラであって、
前記ヒンジ機構は前記ビデオカメラの底面に配置される、
ビデオカメラ。
【請求項１２】
ディスクに映像情報を記録するビデオカメラであって、
前記ディスクを保護する保護部と、
前記保護部を開閉する際の支点部と、
前記保護部に付される係り部と、
前記係り部を受ける穴部と、
を有し、
前記穴部は、
前記光ディスクの外周と、
前記光ディスクの外周の上点を通る第一の接線と、
前記第一の接線と垂直で光ディスクの外周を通る第二の接線と、
で囲まれる領域内に配置される、
ビデオカメラ。
【発明の詳細な説明】
【技術分野】
【０００１】
本発明は、ビデオカメラに関する。
【背景技術】
【０００２】
本技術分野の背景技術としては、例えば、特開２００４−２１４７５２号公報がある。本公報には、課題として、「光ディスク状記録媒体に情報を記録する撮影装置の小型化を図ることを目的する」と記載がある。また、解決手段として、「光ディスクを撮影方向に対して垂直に挿抜する構成とする」と記載がある。
【０００３】
本技術分野の他の背景技術としては、例えば、特開２０００−１１３６６０号公報がある。本公報には、課題として、「装置本体の小型化及び薄型化を図るとともに、ディスク状記録媒体の脱着を容易に行う」と記載がある。また、解決手段として、「光ディスク２が収納されるディスク収納部６が設けられた装置本体３と、ディスク収納部６と略同じ大きさに形成され、外周にディスク収納部６の底面に当接される外周壁２４が形成されるとともに、装置本体３に回動可能に支持されディスク収納部６を開閉可能とする蓋体４とを備える。装置本体３を構成する筐体５には、蓋体４がディスク収納部６を閉塞したとき、蓋体４の外周壁２４に隣接して、蓋体４の外周壁２４の一部を外方に臨ませるとともに、ディスク収納部６から光ディスク２を脱着するために手指が臨まされる操作用凹部３１、４１が設けられている」と記載がある。
【０００４】
【特許文献１】特開２００４−２１４７５２号公報
【特許文献２】特開２０００−１１３６６０号公報
【発明の開示】
【発明が解決しようとする課題】
【０００５】
近年、ランダムアクセス可能で大容量の記憶能力を持つ、光ディスクを使用したビデオカメラ（以下単にビデオカメラという。）が製品化されている。
【０００６】
このようなビデオカメラの構成は、通常、撮影する映像情報を取り込むカメラレンズやマイク部を備えるフロント側、開閉回転可能な液晶表示部を備える液晶表示側、光ディスク交換の際に開閉する開閉蓋や記録装置（ドライブ装置）を覆うケースからなるグリップ側、ビューファインダーとバッテリー取り付け部を備えるリヤ側に別れ、それぞれに構成部品及び外装筐体を配置している。また、光ディスクの収納の向きを、ビデオカメラ本体に対して垂直にすることでビデオカメラの薄型化を実現している。そして、被写体を撮影する場合には片方の手でグリップ側を保持し、レンズ側を被写体に向けて撮影する。
【０００７】
ところで、記録媒体である光ディスクの交換の際には、ユーザが誤って光ディスクを落下させてしまい、光ディスクを傷つけるということがないようにすることが望まれている。そこで、開閉蓋の支点部（ヒンジ機構）をビデオカメラ本体の下部に配置し、上側を開閉するようにして落下防止を図るビデオカメラがある。
【０００８】
そして、このようなビデオカメラにおける開閉蓋のロック機構は、ヒンジ機構の反対端側、つまり、ビデオカメラ本体の上部に配置されている。このため、開閉蓋の高さは光ディスクの外形寸法とロック機構を構成する部材の大きさを加えた高さ（大型化）となってしまう。すなわち、ロック機構分だけビデオカメラの背は高くなり、ビデオカメラのさらなる低背化を図りずらかった。
【０００９】
上記点に鑑み、ＣＤ（Ｃｏｍｐａｃｔ Ｄｉｓｋ）又はＭＤ（Ｍｉｎｉ Ｄｉｓｋ）等を用いるディスクドライブ装置において、開閉蓋のヒンジ機構の反対端側にはロック機構を設けない構成にする技術、すなわち、ロック機構をヒンジ機構の反対端とヒンジ機構との中間位置に配置する装置も存在した。この従来装置では、ディスクを水平方向で使用するため、ロック機構がヒンジ機構の反対端側になくても、開閉蓋の自重で開閉蓋が閉まる方向に力が働き隙間はできにくい。
【００１０】
しかしながら、上述したビデオカメラの場合、光ディスクの収納の向きをカメラ本体に対し垂直にし、カメラ本体の上側を開閉する構成となっているため、開閉蓋は自重で開こうという方向に力が加わってしまう。従って、ロック機構のない側は自重で開き、隙間ができてしまうという課題がある。隙間ができると、隙間から埃等が入りやすくなり光ディスクの性能に問題を起こす場合がある。また、外見上の品位が劣ってしまう。
【００１１】
そこで、本発明は、ビデオカメラの使い勝手を向上することを目的とする。
【課題を解決するための手段】
【００１２】
上記目的は、特許請求の範囲に記載の発明により達成される。
【発明の効果】
【００１３】
本発明によれば、ビデオカメラの使い勝手を向上できる。
【発明を実施するための最良の形態】
【００１４】
以下、本実施例によるビデオカメラを図１から図５を用いて説明する。
【００１５】
まずは、本実施例によるビデオカメラの構成を、図１と図２を用いて説明する。図１は、本実施例によるビデオカメラのディスクカバーが開いた状態の後方斜視図である。また、図２は、本実施例によるビデオカメラの前方斜視図である。
【００１６】
本実施例によるビデオカメラは、映像を撮像するレンズ部２、音声を集音するマイク部３、レンズカバー４、フロントケース５等で構成されるフロント側と、撮影・再生時に映像等を表示するＬＣＤ（Ｌｉｑｕｉｄ  Ｃｒｙｓｔａｌ  Ｄｉｓｐｌａｙ：液晶表示パネル）部６、ＬＣＤ支点部７、本体ケース８等で構成される液晶表示側と、ディスクカバー１、Ｒケース９等で構成されるグリップ側と、撮影・再生時に映像等を表示するＥＶＦ（Ｅｌｅｃｔｒｉｃ  Ｖｉｅｗ  Ｆｉｎｄｅｒ）部１０、バッテリー（図示せず）等で構成されるリヤ側と、に分かれ構成されている。
【００１７】
ＬＣＤ部６はＬＣＤ支点部７により開閉、回転させる事ができ、使用状態に適した角度に調整可能となっている。ＬＣＤ部６が閉じているときに隣接する面には主に再生時に使用される再生操作ボタン１1が配置されている。リヤ側にあるモード切替ノブ１２は電源の入切と動画モードと静止画モードの切り替えを行う。録画ボタン１３は録画の開始、停止ボタンである。グリップ側のＲケース９は光ディスク１５に記録するドライブユニット１８を保護している。
【００１８】
ここで、ディスクカバー１の裏面に配置した後述するフックプレートのフックが、Ｒケース９に開いている穴を通してＲケース９の裏面に配置した後述するロック装置と係合することにより、ディスクカバー１がロック保持される。光ディスク１５を交換する際には、取り出しノブ１４を操作することで、グリップ側のディスクカバー１が開き、光ディスク１５が露出し、交換可能になる。このように、ディスクカバー１は上側に開く構造のため、誤って光ディスク１５を落下させることが防止できる。
【００１９】
撮影者はグリップ側のディスクカバー１及びＲケース９に指をかけ片手で保持し、レンズ部２を被写体に向けて撮影する構成になっているため、光ディスク１５は垂直に配置されるようになっている。このためビデオカメラの幅をも薄くなっている。また、図２からもわかるように本ビデオカメラの高さはディスクカバー１及びＲケース９の高さで決まっている。
【００２０】
次に、低背化のためディスクカバー１及びＲケース９の高さを低くできるロック機構を以下説明する。
【００２１】
本実施例によるロック機構の配置について、図３を用いて説明する。図３は本実施例によるビデオカメラのドライブ装置やディスク保護部の一実施例たるディスクカバー等のグリップ側の断面図である。尚、図３は、ディスクカバー１が約１０度開いた状態である。
【００２２】
ドライブユニット１８は、上部にロック装置１６が配置され、Ｒケース９に固定されている。ドライブユニット１８の中心部の装着部１８ａには、光ディスク１５が装着される。ディスクカバー１とフックプレート１７とは固定されており、さらにディスクカバー１とヒンジ１９も固定されている。このヒンジ１９が、Ａ方向に動くことにより、ヒンジ１９に固定されているフックプレート１７及びディスクカバー１が開閉運動する。ディスクカバー１を閉じる場合は、フックプレート１７の先端部である係り部の一実施例たるフック１７ｂがＲケース９に設けたロック穴を通って、後述するロック装置１６の係合部と係合し、ディスクカバー１をロックする。
【００２３】
ここで、光ディスク１５が装着部１８ａに装着された状態において、ロック装置１６の先端部の高さを指す点線Ｑは、光ディスク１５の上部先端部１５ａの高さを指す点線Ｐより下側である。好ましくは、点線Ｐより下側で極力高い位置に配置される。また、フックプレート１７の先端部フック１７ｂも点線Ｐより下側である。好ましくは、点線Ｐより下側で極力高い位置に配置される。
【００２４】
さらに、ロック機構の配置について図４を用いて説明する。図４（ａ）は、本実施例によるビデオカメラのロック機構をディスクカバー１側からみた拡大図である。図４（ｂ）は、本実施例によるビデオカメラのロック機構をＲケース９側からみた拡大図である。
【００２５】
フックプレート１７の先端部にはロック装置１６と係合するためのフック１７ａとフック１７ｂとが設けられている。そして、それぞれのフックは、光ディス１５を覆うように、それぞれＲケース９に設けたロック穴９ａとロック穴９ｂを通って、Ｒケース９の裏面に配置された後述するロック装置１６の係合部と係合し、フックプレート１に固定されたディスクカバー１をロックする。
【００２６】
ここで、光ディスク１５の上部先端部１５ａの高さを示す点線Ｐよりもロック装置１６の先端部の高さを示す点線Ｑが下側になるようにロック装置１６を配置してある。また、フックプレート１７のフック１７ａ及びフック１７ｂの先端部の高さも点線Ｐより下側になるように配置されている。このように、ディスクカバー１をロックするためのフック１７ａ、フック１７ｂ及びロック装置１６の位置を光ディスク１５の先端部１５ａより低くしたので、ディスクカバー１の上端部１ａ及びＲケース９の上端部９ｃを光ディスク１５の外形接線に沿うように略直線状の形状とすることで、ディスクカバー１及びＲケース９の高さ、すなわち、ビデオカメラ本体の高さを低くすることができる。
【００２７】
また、フック１７ａ、フック１７ｂ及びロック装置１６の位置を極力点線Ｐに近い位置にしているので、それぞれのフックの距離も近いので、自重でディスクカバー１が開いてディスクカバー１の上端部１ａ及びＲケース９の上端部９ｃとの隙間ができることもない。従って、隙間から埃や塵などが入るのを防止することができると共に見た目にも好ましい。
【００２８】
次に、ロック機構の詳細な構成及び動作について、図５を用いて説明する。図５（ａ）は、フックプレート１７が開いた状態のロック機構を上面から見た図である。図５（ｂ）は、フックプレート１７が閉じた状態のロック機構を上面から見た図である。尚、ここでは、ディスクカバー１を取り外した状態を示している。
【００２９】
フックプレート１７は先端部にロック装置１６の係合部と係合するためのフック１７ａ及びフック１７ｂ備えている。ロック装置１６は、インヒビット２１、ロックスライダー２２、ロックスライダーピン２３及びロックスプリング２４で構成されている。
【００３０】
ディスクカバー１が開いた状態、つまり、ロックが外れた状態では、インヒビット２1はロックスライダー２２とロックスライダーピン２３で支えられている。また、インヒビット２１とロックスライダー２２が結合されているロックスプリング２４は伸びた状態で、インヒビット係合部２１ｂはロックスライダー係合部２２ｃで係合されてこの状態を保持している。この状態では、ロックスライダー係合部２２ａとロックスライダー係合部２２ｂはフックプレート１７のフック１７ａ及びフック１７ｂより左方向に留まっている。
【００３１】
次に、使用者がディスクカバー１を閉めようとすると、フックプレートのフック１７ａがインヒビット当接部２１ａの面を押し、インヒビット２１はロックスライダーピン２３を支点として、Ｂ方向に回転する。インヒビット２１がロックスライダーピン２３を支点にしてＢ方向に回転するとインヒビット係合部２１ｂはロックスライダー係合部２２ｃを乗り上げＣ方向に回転する。Ｃ方向に回転することによって、インヒビット係合部２１ｂとロックスライダー係合部２２ｃとの係合が解除され、ロックスプリング２４の張力が開放されその縮む力によりロックスプリング２４がＤ方向に収縮し、ロックスライダー係合部２２ａとロックスライダー係合部２２ｂがそれぞれＥ方向及びＦ方向に引っ張られ、フックプレート１７のフック１７ａ及びフック１７ｂにそれぞれ係合され、これによりディスクカバー１がロックされる。
【００３２】
また、使用者が光ディスク１５を取り出そうと取り出しノブ１４を操作した場合は、ロック装置１６に取り付けてあるモータ（図示せず）の回転により、カムギヤ（図示せず）を介してロックスライダー片２２ｄがＧ方向に移動し、ロックスライダー係合部２２ａ及びロックスライダー係合部２２ｂと、フックプレート１７のフック１７ａ及びフック１７ｂとの係合が解除され、ロックプレート１に固定されたディスクカバー１が開く。また、ロックスライダー係合部２２ａとフックプレート１７のフック１７ａとの係合が解除されることにより、インヒビット当接部２１ａがＢ方向とは逆の方向に回転し、インヒビット係合部２１ｂもＣ方向とは逆の方向に回転し、インヒビット係合部２１ｂがロックスライダー係合部２２ｃと係合されてこの状態を保持する。
【００３３】
これにより、カメラ本体の高さが、ロック機構分低くすることができ、ビデオカメラの低背化が図れる。また、複数箇所で開閉蓋をロックするので隙間ができにくい。
【００３４】
図６に一実施例の概念図を示す。説明の便宜上、説明に必要のない構成は図示しない。
【００３５】
図６は、ディスクカバー側からビデオカメラ本体を見た図である。従って、図に向って右側にはレンズ等の撮像系があり、図に向って左側にはバッテリー等が配置される。また、図に向って下側がビデオカメラの底面側であり、ヒンジ機構等が配置される。図中のハッチング領域Ａ及びＢは、ディスク１５の外周を通る接線に囲まれる領域である。係る接線は、ディスク１５の外周の上点を通る接線とそれに垂直な接線である。一実施例においては、係るハッチング領域にロック機構が配置される。すなわち、ディスクカバーに設けられる係り部たるフックは、ディスクカバーを閉じたときには、ハッチング領域Ａ又は／及び領域Ｂにて、穴部たるロック機構と係りあう。このように、ハッチング領域にフック及びロック機構を配置することにより、ビデオカメラにおける低背化及びコンパクト化が可能となる。さらに、ハッチング領域Ａ、Ｂの中でもできる限り上側に配置することにより、重力によるディスクカバーの隙間を防ぐことができる。
【図面の簡単な説明】
【００３６】
【図１】本実施例によるビデオカメラのディスクカバーが開いた状態の後方斜視図
【図２】本実施例によるビデオカメラの前方斜視図
【図３】本実施例によるビデオカメラの断面図
【図４】本実施例によるビデオカメラのロック機構の拡大図
【図５】本実施例によるビデオカメラのロック機構を上面から見た図
【図６】一実施例の概念図
【符号の説明】
【００３７】
１…ディスクカバー、１ａ…ディスクカバーの上端部、２…レンズ部、３…マイク部、
４…レンズカバー、５…フロントケース、６…ＬＣＤ部、７…ＬＣＤ支点部、
８…本体ケース、９…Ｒケース、９ａ…ロック穴Ａ、９ｂ…ロック穴Ｂ、
９ｃ…Ｒケースの上端部、１０…ＥＶＦ部、１１…再生操作ボタン、
１２…モード切替ノブ、１３…録画ボタン、１４…取り出しノブ、１５…光ディスク、
１６…ロック装置、１７…フックプレート、１７ａ…フックプレートのフックＡ、
１７ｂ…フックプレートのフックＢ、１８…ドライブユニット、１８ａ…装着部、
１９…ヒンジＣ、２１…インヒビット、２１ａ…インヒビット当接部、
２１ｂ…インヒビット係合部、２２…ロックスライダー、
２２ａ…ロックスライダー係合部Ａ、２２ｂ…ロックスライダー係合部Ｂ、
２２ｃ…ロックスライダー係合部Ｃ、２２ｄ…ロックスライダー片、
２３….ロックスライダーピン、２４…ロックスプリング
【図１】
2006157471.tif 000003
【図２】
2006157471.tif 000004
【図３】
2006157471.tif 000005
【図４】
2006157471.tif 000006
【図５】
2006157471.tif 000007
【図６】
2006157471.tif 000008